(57)【特許請求の範囲】
【請求項１】
記録媒体に印刷を行う印刷手段と、
画像の読み取りを行う読取手段と、
前記印刷手段及び前記読取手段の動作を制御する制御手段とを備え、
前記制御手段は、
第１画像と、前記第１画像と関連のある第２画像及び前記第２画像に対応する所定の情報が記録されたバーコードとが印刷された記録媒体の画像を、前記読取手段に読み取らせた場合に、前記バーコードから前記第２画像と前記所定の情報を読み出し、
前記読取手段によって読み取られた画像に、前記バーコードから読み出された前記所定の情報と同じ内容の記入者による書き込みが含まれている場合にのみ、前記バーコードから読み出された前記第２画像を、前記記録媒体とは別の記録媒体に印刷させることを特徴とする印刷システム。
【請求項２】
前記バーコードに、１つの前記第１画像に関連して複数種類の前記第２画像が記録されているとともに、
前記所定の情報として、これら複数種類の第２画像に対応する複数種類の情報が記録されており、
前記制御手段は、
前記読取手段によって読み取られた画像に、前記バーコードから読み出された前記複数種類の情報のいずれかと同じ内容の記入者による書き込みが含まれている場合に、前記バーコードから読み出された前記複数種類の第２画像のうち、読み取った書き込みに対応する前記第２画像を記録媒体に印刷させることを特徴とする請求項１に記載の印刷システム。
【請求項３】
前記制御手段は、
前記読取手段によって読み取られた画像に、前記バーコードから読み出された前記所定の情報と同じ内容の記入者による書き込みが含まれていない場合にのみ、第３画像を記録媒体に印刷させることを特徴とする請求項１又は２に記載の印刷システム。
【請求項４】
前記第１画像が、問題文の画像であって、
前記バーコードに、
前記第２画像として、前記問題文に対する解答が正答である場合に対応する画像が記録されており、
前記所定の情報として、前記問題文に対する正答の情報が記録されており、
前記第３画像として、前記問題文に対する解答が誤答である場合に対応する画像が記録されていることを特徴とすることを特徴とする請求項３に記載の印刷システム。
【請求項５】
記録媒体に印刷を行う印刷手段と、
画像の読み取りを行う読取手段と、
前記印刷手段及び前記読取手段の動作を制御する制御手段とを備え、
前記制御手段は、
所定画像及び前記所定画像に対応する所定の情報が記録されたバーコードが印刷された記録媒体の画像を、前記読取手段に読み取らせた場合に、前記バーコードから前記所定画像と前記所定の情報を読み出し、
前記読取手段によって読み取られた画像に、前記バーコードから読み出された前記所定の情報と同じ内容の記入者による書き込みが含まれている場合にのみ、前記バーコードから読み出された前記所定画像を、前記記録媒体とは別の記録媒体に印刷させることを特徴とする印刷システム。
【請求項６】
前記制御手段は、
前記第２画像又は前記所定画像を印刷する記録媒体に、前記読取手段によって読み取られた画像を複写させることを特徴とする請求項１〜５のいずれかに記載の印刷システム。
【請求項７】
前記制御手段は、
前記読取手段によって読み取られた画像を、前記記録媒体の前記第２画像又は前記所定画像が印刷される位置と重ならない位置に複写させることを特徴とする請求項６に記載の印刷システム。
【請求項８】
前記制御手段は、
前記読取手段によって読み取られた画像を、少なくともその一部を縮小した上で複写させることを特徴とする請求項７に記載の印刷システム。
【請求項９】
前記制御手段は、
前記読取手段によって読み取られた画像を、少なくともその一部の配置を変更した上で複写させることを特徴とする請求項７又は８に記載の印刷システム。
【請求項１０】
前記印刷システムが、複合機からなることを特徴とする請求項１〜９のいずれかに記載の印刷システム。
【請求項１１】
前記印刷システムが、複合機と少なくとも１つの機器からなることを特徴とする請求項１〜９のいずれかに記載の印刷システム。
【請求項１２】
記録媒体に印刷を行う印刷手段と、
前記印刷手段の動作を制御する制御手段とを備え、
前記制御手段は、
第１画像と、前記第１画像と関連のある第２画像及び前記第２画像に対応する所定の情報が記録されたバーコードとを記録媒体に印刷させ、
前記第１画像及び前記バーコードが、
請求項１〜４のいずれかに記載の印刷システムにおける前記第１画像及び前記バーコードであることを特徴とする印刷システム。
【請求項１３】
前記制御手段は、
前記第１画像と前記バーコードに加えて、書き込みを行うべき位置を示す書き込み位置指示画像を記録媒体に印刷させることを特徴とする請求項１２に記載の印刷システム。
【請求項１４】
第１画像と、前記第１画像と関連のある第２画像及び前記第２画像に対応する所定の情報が記録されたバーコードとが印刷された記録媒体の画像を、読取手段によって読み取る読取工程と、
前記読取工程で読み取った前記バーコードから前記第２画像と前記所定の情報を読み出す読出工程と、
前記読取工程で読み取った画像に、前記バーコードから読み出された前記所定の情報と同じ内容の記入者による書き込みが含まれている場合にのみ、前記バーコードから読み出された前記第２画像を、前記記録媒体とは別の記録媒体に印刷する印刷工程とを有することを特徴とする印刷方法。
【請求項１５】
記録媒体に、第１画像と、前記第１画像と関連のある第２画像及び前記第２画像に対応する所定の情報が記録されたバーコードとを印刷する印刷方法であって、
前記第１画像及び前記バーコードが、
請求項１４に記載の印刷方法における前記第１画像及び前記バーコードであることを特徴とする印刷方法。
【発明の詳細な説明】
【技術分野】
【０００１】
本発明は、画像の印刷を行う印刷システム及び印刷方法に関する。
【背景技術】
【０００２】
特許文献１には、名刺上に、氏名、会社名、住所など、直接記載されている内容と同じ情報が記録されたバーコード、及び、上記会社の商品情報や、社員番号、血液型といった個人情報など、直接記載されていない情報が記録されたバーコードを印刷することが記載されている。また、このうち、個人情報については、会社固有のコードでバーコードを印刷し、専用のバーコードリーダでのみ読み取り可能となっている。
【先行技術文献】
【特許文献】
【０００３】
【特許文献１】実開平５−１７７６７号公報
【発明の概要】
【発明が解決しようとする課題】
【０００４】
しかしながら、特許文献１では、専用のバーコードリーダを用いれば、誰であっても当該バーコードに記録された情報を読み出すことができる。そのため、当該専用のバーコードリーダを利用可能な人のうち、例えば、特定部署に属する人や、特定の権限を持つ人など、さらに特定の人のみが、バーコードに記録された内容の読み出しを行うことができるようにするといったことできない。
【０００５】
本発明の目的は、所定の条件が満たされた状態で読み取られた場合にのみ印刷されたバーコードに記録された情報を読み出しが可能な印刷物を印刷する印刷システム及び印刷方法と、このような印刷物からバーコードに記録された情報を読み出して印刷を行う印刷システム及び印刷方法を提供することである。
【課題を解決するための手段】
【０００６】
第１の発明に係る印刷システムは、記録媒体に印刷を行う印刷手段と、画像の読み取りを行う読取手段と、前記印刷手段及び前記読取手段の動作を制御する制御手段とを備え、前記制御手段は、第１画像と、前記第１画像と関連のある第２画像及び前記第２画像に対応する所定の情報が記録されたバーコードとが印刷された記録媒体の画像を、前記読取手段に読み取らせた場合に、前記バーコードから前記第２画像と前記所定の情報を読み出し、前記読取手段によって読み取られた画像に、前記バーコードから読み出された前記所定の情報と同じ内容の記入者による書き込みが含まれている場合にのみ、前記バーコードから読み出された前記第２画像を、前記記録媒体とは別の記録媒体に印刷させることを特徴とする。
【０００７】
本発明によると、第１画像及びバーコードが印刷された画像を読み取らせ、これらが印刷された記録媒体に所定の書き込みがされている場合にのみ、読み取った画像には印刷されていない、第１画像に関連する第２画像を印刷させることができる。
【００１０】
第２の発明に係る印刷システムは、第１の発明に係る印刷システムにおいて、前記バーコードに、１つの前記第１画像に関連して複数種類の前記第２画像が記録されているとともに、前記所定の情報として、これら複数種類の第２画像に対応する複数種類の情報が記録されており、前記制御手段は、前記読取手段によって読み取られた画像に、前記バーコードから読み出された前記複数種類の情報のいずれかと同じ内容の記入者による書き込みが含まれている場合に、前記バーコードから読み出された前記複数種類の第２画像のうち、読み取った書き込みに対応する前記第２画像を記録媒体に印刷させることを特徴とする。
【００１１】
本発明によると、書き込みの内容に応じて、複数種類の第２画像のうちのいずれかを選択的に印刷させることができる。
【００１２】
第３の発明に係る印刷システムは、第１又は第２の発明に係る印刷システムにおいて、前記制御手段は、前記読取手段によって読み取られた画像に、前記バーコードから読み出された前記所定の情報と同じ内容の記入者による書き込みが含まれていない場合にのみ、第３画像を記録媒体に印刷させることを特徴とする。
【００１３】
本発明によると、書き込みが間違っている場合や、何も書き込みがされていない場合などに、第２画像の代わりにこれとは別の第３画像を印刷させることができる。
【００１４】
第４の発明に係る印刷システムは、第３の発明に係る印刷システムにおいては、前記第１画像が、問題文の画像であって、前記バーコードに、前記第２画像として、前記問題文に対する解答が正答である場合に対応する画像が記録されており、前記所定の情報として、前記問題文に対する正答の情報が記録されており、前記第３画像として、前記問題文に対する解答が誤答である場合に対応する画像が記録されていることを特徴とする。
【００１５】
本発明によると、問題文が印刷された画像に解答を書き込んだ場合に、その解答が正答である場合と誤答である場合とで、それに応じた画像を印刷させることができる。
【００１６】
第５の発明に係る印刷システムは、記録媒体に印刷を行う印刷手段と、画像の読み取りを行う読取手段と、前記印刷手段及び前記読取手段の動作を制御する制御手段とを備え、前記制御手段は、所定画像及び前記所定画像に対応する所定の情報が記録されたバーコードが印刷された記録媒体の画像を、前記読取手段に読み取らせた場合に、前記バーコードから前記所定画像と前記所定の情報を読み出し、前記読取手段によって読み取られた画像に、前記バーコードから読み出された前記所定の情報と同じ内容の記入者による書き込みが含まれている場合にのみ、前記バーコードから読み出された前記所定画像を、前記記録媒体とは別の記録媒体に印刷させることを特徴とする。
【００１７】
本発明によると、バーコードが印刷された画像を読み取らせ、この記録媒体に所定の書き込みがされている場合にのみ、読み取った画像には印刷されていない、所定画像を印刷させることができる。
【００２０】
第６の発明に係る印刷システムは、第１〜第５のいずれかの発明に係る印刷システムにおいて、前記制御手段は、前記第２画像又は前記所定画像を印刷する記録媒体に、前記読取手段によって読み取られた画像を複写させることを特徴とする。
【００２１】
本発明によると、第１画像を含む読み取った画像と、第１画像に関連する第２画像又は前記所定画像とを同じ記録媒体に印刷することができる。
【００２２】
第７の発明に係る印刷システムは、第６の発明に係る印刷システムにおいて、前記制御手段は、前記読取手段によって読み取られた画像を、前記記録媒体の前記第２画像又は前記所定画像が印刷される位置と重ならない位置に複写させることを特徴とする。
【００２３】
本発明によると、読み取った画像と、第２画像又は前記所定画像とが重なった位置に印刷されてしまうのを防止することができる。
【００２４】
第８の発明に係る印刷システムは、第７の発明に係る印刷システムにおいて、前記制御手段は、前記読取手段によって読み取られた画像を、少なくともその一部を縮小した上で複写させることを特徴とする。
【００２５】
本発明によると、読み取った画像を、少なくともその一部を縮小した上で複写することにより、第２画像又は前記所定画像と重ならない位置に複写することができる。
【００２６】
第９の発明に係る印刷システムは、第７又は第８の発明に係る印刷システムにおいて、前記制御手段は、前記読取手段によって読み取られた画像を、少なくともその一部の配置を変更した上で複写させることを特徴とする。
【００２７】
本発明によると、読み取った画像を、少なくともその一部の配置を変更した上で複写することにより、第２画像又は前記所定画像と重ならない位置に複写することができる。
【００２８】
第１０の発明に係る印刷システムは、第１〜第９のいずれかの発明に係る印刷システムにおいて、前記印刷システムが、複合機からなることを特徴とする。
第１１の発明に係る印刷システムは、第１〜第９のいずれかの発明に係る印刷システムにおいて、前記印刷システムが、複合機と少なくとも１つの機器からなることを特徴とする。
【００２９】
第１２の発明に係る印刷システムは、記録媒体に印刷を行う印刷手段と、前記印刷手段の動作を制御する制御手段とを備え、前記制御手段は、第１画像と、前記第１画像と関連のある第２画像及び前記第２画像に対応する所定の情報が記録されたバーコードとを記録媒体に印刷させ、前記第１画像及び前記バーコードが、第１〜第４のいずれかの発明に係る印刷システムにおける前記第１画像及び前記バーコードであることを特徴とする。
第１３の発明に係る印刷システムは、第１２の発明に係る印刷システムにおいて、前記制御手段は、前記第１画像と前記バーコードに加えて、書き込みを行うべき位置を示す書き込み位置指示画像を記録媒体に印刷させることを特徴とする。本発明によると、記録媒体の特定の位置にのみ書き込みがされるため、画像の読取時に精度よく書き込みを読み取らせることができる。
【００３０】
第１４の発明に係る印刷方法は、第１画像と、前記第１画像と関連のある第２画像及び前記第２画像に対応する所定の情報が記録されたバーコードとが印刷された記録媒体の画像を、読取手段によって読み取る読取工程と、読み取った前記バーコードから前記第２画像と前記所定の情報を読み出す読出工程と、読み取った画像に、前記バーコードから読み出された前記所定の情報と同じ内容の記入者による書き込みが含まれている場合にのみ、前記バーコードから読み出された前記第２画像を、前記記録媒体とは別の記録媒体に印刷する印刷工程とを有することを特徴とする。
【００３１】
第１５の発明に係る印刷方法は、記録媒体に、第１画像と、前記第１画像と関連のある第２画像及び前記第２画像に対応する所定の情報が記録されたバーコードとを印刷する印刷方法であって、前記第１画像及び前記バーコードが、第１４の発明に係る印刷方法における前記第１画像及び前記バーコードであることを特徴とする。
【発明の効果】
【００３２】
本発明によれば、第１画像及びバーコードが印刷された画像を読み取らせ、これらが印刷された記録媒体に所定の書き込みがされている場合にのみ、読み取った画像には印刷されていない、第１画像に関連する第２画像を印刷させる又は印刷することができる。
【図面の簡単な説明】
【００３３】
【図１】本発明における実施の形態に係る複合機を概略的に示す外観図である。
【図２】本発明における実施の形態に係る複合機の電気的構成を概略的に示すブロック図である。
【図３】複合機において印刷される画像を示す図であり、（ａ）読み出したデータに基づいて印刷される画像、（ｂ）が（ａ）の画像に基づいて印刷される画像を示している。
【図４】図３（ａ）の画像を印刷する手順を示すフローチャートである。
【図５】図３（ｂ）の画像を印刷する手順を示すフローチャートである。
【図６】変形例１の図３（ｂ）相当の図である。
【図７】変形例２の図３相当の図である。
【図８】変形例３の図７（ｂ）相当の図である。
【図９】変形例４の図２相当のブロック図である。
【図１０】変形例４の図５相当のフローチャートである。
【図１１】変形例６の図３（ｂ）相当の図である。
【図１２】変形例７における図３相当の図である。
【図１３】変形例７の図６相当のフローチャートである。
【図１４】変形例８の図１２相当の図である。
【図１５】変形例９の図１２相当の図である。
【図１６】変形例１０の図１３（ｂ）相当の図であり、（ａ）がある２つのパスワードの一方を記入した場合、（ｂ）が２つのパスワードの他方を記入した場合を示している。
【図１７】変形例１２の図１相当の図である。
【図１８】変形例１２の図２相当のブロック図である。
【発明を実施するための形態】
【００３４】
以下、本発明の好適な実施の形態について説明する。図１は本実施の形態の複合機を概略的に示す外観図であり、図２は複合機の電気的構成を概略的に示すブロック図である。
【００３５】
図１、図２に示すように、本実施の形態の複合機１は、印刷用紙Ｓ（記録媒体）に画像を印刷する印刷ヘッド２と、印刷用紙Ｓを所定方向（図１の前方）へ搬送する用紙搬送機構３と、印刷用紙Ｓに印刷された画像を読み取るスキャナ４と、印刷ヘッド２、用紙搬送機構３、スキャナ４等、複合機１の各種機構をそれぞれ制御する制御装置５を備えている。
【００３６】
図１に示すように、複合機１は、略直方体状の本体６を有し、この本体６内に、印刷ヘッド２、用紙搬送機構３等が収容されている。印刷ヘッド２としては、インクジェット方式や、レーザー方式、あるいは、熱転写方式等、公知の方式で印刷用紙Ｓに印刷を行うものが用いられる。また、用紙搬送機構３は、モータで回転駆動される搬送ローラによって印刷用紙Ｓを所定方向へ搬送するように構成されている。
【００３７】
スキャナ４は、本体６の上部に設けられている。図１に示すように、このスキャナ４は、ガラス板からなる載置台（図示省略）と、この載置台の下側に配置された読取ユニット（図示省略）と、載置台の上面を覆うカバー７とを備えている。そして、スキャナ４は、載置台の上面に原稿が載置された後にカバー７が閉じられた状態で、読取ユニットにより原稿に印刷された画像を読み取るように構成されている。
【００３８】
本体６の前部の上側部分には傾斜面６ａが形成され、この傾斜面６ａには、ユーザにより操作される複数の操作ボタンからなる操作部８と、複合機１の動作状態やエラーメッセージ、後述するバーコードから読み取った内容等を表示するディスプレイ９が設けられている。また、本体６の前面の右側部分には、メモリーカード１１が装着されるスロット１０が設けられている。そして、メモリーカード１１に記録されている画像データ等のデータは、スロット１０で読み出されて制御装置５に入力される。
【００３９】
なお、以下では、説明の便宜上、メモリーカード１１からスロット１０を介して複合機１へ画像データが入力されるものとするが、複合機１への画像データの入力はこのような構成に限られるものではない。例えば、複合機１とデジタルカメラがケーブルで接続され、このケーブルを介して複合機１へ画像データが入力されてもよい。あるいは、カメラ機能付き携帯電話等から、赤外線等を利用した無線通信を介して複合機１へ画像データが入力されてもよい。
【００４０】
次に、制御装置５を中心とする複合機１の電気的構成について、図２を参照して説明する。
【００４１】
制御装置５は、中央演算処理装置であるＣＰＵ（Central Processing Unit）と、複合機１の各種機構を制御するためのプログラムやデータ等が格納されたＲＯＭ（Read Only Memory）、ＣＰＵで処理されるデータを一時的に記憶するＲＡＭ（Random ccess Memory）、外部装置との間の信号の入出力を行う入出力インターフェース等で構成されている。
【００４２】
図２に示すように、制御装置５は、印刷制御部２１、読取制御部２２などを備えている。読取制御部２２は、スキャナ４に画像及びバーコードを読み取らせる際の制御を行うものであって、スキャナ制御部４１、読取画像記憶部４２及び読取画像処理部４３を備えている。
【００４３】
スキャナ制御部４１は、画像を読み取らせる際のスキャナ４の動作を制御する。読取画像記憶部４２は、スキャナ４によって読み取られた画像を一時的に記憶する。読取画像処理部４３は、読取画像記憶部４２に記憶された画像を処理して、後述する、解答Ｒの取得、バーコードＢ１に記録されたデータの読み出しなどを行う。
【００４４】
印刷制御部２１は、複合機１において印刷を行う際の制御を行うものであって、ヘッド制御部３１、搬送制御部３２及び印刷データ生成部３３を備えている。ヘッド制御部３１及び搬送制御部３２は、それぞれ、複合機１において印刷を行う際の印刷ヘッド２及び用紙搬送機構３の制御を行う。印刷データ生成部３３は、後述するように、スロット１０に装着されたメモリーカード１１に記録された画像データ、あるいは、読取画像記憶部４２に記憶された画像、及び、読取画像処理部４３によって後述するバーコードＢ１から読み出されたデータなどに基づいて、印刷される画像の印刷データを生成する。
【００４５】
そして、ユーザによる操作部８からの印刷指令が入力されたときに、メモリーカード１１から入力された画像データに基づく画像の印刷、及び、後述する、読み取った当該画像に基づく画像の印刷が行われる。
【００４６】
また、制御装置５は、複合機１の状態（印刷状態、または、待機状態）やエラーメッセージ等をディスプレイ９に表示させて、これらの情報をユーザに通知する。
【００４７】
次に、複合機１において印刷される画像、及び、当該印刷された画像に基づいて印刷される画像について説明する。複合機１においては、スロット１０に装着されたメモリーカード１１に記録されたデータに基づいて、例えば、図３に示すような画像Ａ１を印刷する。図３（ａ）は、複合機１によって印刷される画像の一例を示す図である。
【００４８】
図３（ａ）の画像Ａ１１は、例えば筆記試験など、ユーザに問題文に対する解答をさせるためのものであり、３つの問題文Ｑ（第１画像）、３つの記入欄Ｗ１（書き込み位置指示画像）、及び、バーコードＢ１からなる。問題文Ｑは、ユーザに解答させるための問題文である。３つ記入欄Ｗ１は、上記３つの問題文Ｑに対する解答Ｒ（書き込み）の記入位置を示すものであり、図３（ａ）に示すように、３つの記入欄Ｗ１の枠内に、それぞれ、解答Ｒが記入される。
【００４９】
バーコードＢ１には、画像Ａ１１の構成要素である問題文Ｑ、記入欄Ｗ１、バーコードＢ１の画像などと、問題文Ｑに対応する正答（所定の情報）と、後述するように記入欄Ｗ１に記入された解答Ｒが正答である場合に印刷される問題文Ｑに対応する解説Ｅ（第２画像）と、後述するように記入欄Ｗ１に記入された解答Ｒが誤答である場合（記入欄Ｗ１が空欄の場合も含む）に解説Ｅの代わりに印刷されるヒントＨ（第３画像）とが記録されている。また、バーコードＢ１には、問題文Ｑ、バーコードＢ１、記入欄Ｗ１、解説Ｅ及びヒントＨの印刷位置も記録されている。
【００５０】
次に、スキャナ４に読み取らせた画像Ａ１１に基づいて印刷される画像Ａ１２について説明する。図３（ｂ）は、画像Ａ１２を示す図である。なお、本実施の形態では、３つの問題文Ｑに対する正答がそれぞれ「Ｂ」「Ｅ」「Ｇ」であり、記入欄Ｗ１に３つの問題文Ｑに対する解答Ｒとして「Ａ」「Ｅ」「Ｇ」が記入された場合、つまり、一番上の問題文Ｑに対する解答Ｒが誤答で、残りの２つの問題文Ｑに対する解答Ｒが正答である場合を例に挙げて説明する。また、図３（ｂ）においては、図面をわかりやすくするため、解答Ｒが印刷されたものとしているが、解答Ｒは印刷されていなくてもよい。
【００５１】
図３（ｂ）に示すように、画像Ａ１２においては、画像Ａ１１と同様の問題文Ｑ、記入欄Ｗ１及びバーコードＢ１が配置されているともに、記入欄Ｗ１に記入された解答Ｒが正答である問題文Ｑの下方には、問題文Ｑに対応する解説Ｅが配置されており、記入欄Ｗ１に記入された解答Ｒが誤答である問題文Ｑの下方には、解説Ｅの代わりにヒントＨが配置されている。
【００５２】
これにより、ユーザは、問題文Ｑに対する解答Ｒを記入欄Ｗ１に記入した画像Ａ１１をスキャナ４により読み取らせることによって印刷される画像Ａ１２を見て、解答Ｒが正答であった問題については、その解説Ｅを参照することができ、誤答であった問題については、ヒントＨを参照した上で、問題文Ｑに対する解答をしなおすことなどができる。
【００５３】
次に、図３（ａ）に示す画像Ａ１１を印刷する手順について説明する。図４はこの手順を示すフローチャートである。
【００５４】
画像Ａ１１を印刷するためには、予め、図３（ａ）に示す画像Ａ１１の画像データを準備してメモリーカード１１に記録しておく。より詳細に説明すると、画像編集ソフトなどによって、図３（ａ）に示すような、問題文Ｑ、記入欄Ｗ１、バーコードＢ１などが配置された画像Ａ１１のデータを生成して、メモリーカード１１に記録しておく。
【００５５】
そして、図４に示すように、スロット１０に装着されたメモリーカード１１から画像Ａ１１の画像データを読み出す（ステップＳ１０１、以下、単にＳ１０１などとする）。次に、印刷データ生成部３３において、メモリーカード１１から読み出した画像データから印刷データを生成し（Ｓ１０２）、生成した印刷データに基づいて画像の印刷を行う（Ｓ１０３）。これにより、印刷用紙Ｓに、図３（ａ）に示すような、画像Ａ１１が印刷される。
【００５６】
次に、画像Ａ１１を読み取り、読み取った画像Ａ１１に基づいて画像Ａ１２を印刷する手順について説明する。図５は、この手順を示すフローチャートである。ここで、本実施の形態においては、スキャナ４により画像Ａ１１を読み取らせる前に、上述したように、ペンなどにより記入欄Ｗ１に問題文Ｑに対する解答Ｒを書き込む。
【００５７】
そして、解答Ｒを書き込んだ画像Ａ１１をスキャナ４に読み取らせ、読み取られた画像Ａ１１を読取画像記憶部４２に記憶させる（Ｓ２０１）。
【００５８】
次に、読取画像処理部４３により、記入欄Ｗ１に記載された解答Ｒの内容を取得する（Ｓ２０２）とともに、読取画像記憶部４２に記憶された画像Ａ１１のバーコードＢ１から正答の情報を読み出す（Ｓ２０２）。なお、Ｓ２０２、Ｓ２０３の前後は逆であってもよい。
【００５９】
そして、記入欄Ｗ１に記入された解答Ｒが、読み出した正答と一致しているかを判断し、（Ｓ２０４）、一致している場合には（Ｓ２０４：ＹＥＳ）、バーコードＢ１から解説Ｅを読み出し（Ｓ２０５）、一致しない場合には（Ｓ２０４：ＮＯ）、バーコードＢ１からヒントＨを読み出す（Ｓ２０６）。
【００６０】
全ての解答Ｒについて、上記Ｓ２０４〜Ｓ２０６の処理を行い（Ｓ２０７：ＹＥＳ）、全ての解答Ｒに対する上記Ｓ２０４〜Ｓ２０６の処理が完了した後（Ｓ２０７：ＮＯ）、バーコードＢ１から元の画像Ａ１１の構成要素である問題文Ｑなどを読み出し（Ｓ２０８）、読み出した問題文Ｑなどと、Ｓ２０５、Ｓ２０６において読み出した解説ＥやヒントＨとから、印刷データ生成部３３において画像Ａ１２の印刷データを生成する（Ｓ２０９）。そして、生成した印刷データに基づいて画像Ａ１２を印刷する（Ｓ２１０）。なお、上記Ｓ２０８の問題文Ｑなどの読み出しは、上記Ｓ２０９の印刷より前のどの段階で行ってもよい。
【００６１】
以上のようにして、画像Ａ１２の印刷を行うことにより、記入欄Ｗ１に正答が記入された状態で画像Ａ１１が読み取られた場合にのみ、対応する解説Ｅを印刷することができる。一方、記入欄Ｗ１に誤答が記入された場合や、記入欄Ｗ１に何も記入されていない状態で画像Ａ１１が読み取られた場合には、解説Ｅの代わりににヒントＨを印刷することができる。
【００６２】
このとき、画像Ａ１１に記入欄Ｗ１が設けられており、記入欄Ｗ１に解答Ｒが記入される（解答Ｒが特定の位置にのみ記入される）ため、上記Ｓ２０３において、解答Ｒを精度よく読み取ることができる。
【００６３】
また、バーコードＢ１に、画像Ａ１１の構成要素である問題文Ｑなどが記録されているため、バーコードＢ１に記録されたデータを用いて、問題文Ｑと、問題文Ｑに対応する解答ＥやヒントＨとが配置された画像を印刷することができる（問題文Ｑと解答ＥやヒントＨとを同じ印刷用紙Ｓに印刷することができる）。
【００６４】
次に、本実施の形態に種々の変更を加えた変形例について説明する。ただし、本実施の形態と同様の構成を有するものについては適宜その説明を省略する。
【００６５】
一変形例（変形例１）では、バーコードＢ１にヒントＨの情報は記録されておらず、記入欄Ｗ１に記入された解答Ｒに誤答が含まれている場合には、図６に示すように、解答Ｒが正答である問題文Ｑの下方に対応する解説Ｅが配置されているが、解答Ｒが誤答である問題文Ｑの下方には空欄のままとなった画像Ａ２２を印刷する。
【００６６】
この場合でも、記入欄Ｗ１に記入された解答Ｒが正答である場合にのみ、問題文Ｑに対する解説Ｅを印刷することができる。なお、この場合には、ユーザは、問題文Ｑの下方に何も印刷されていないことを確認することで、解答Ｒが誤答であったことを認識することができる。
【００６７】
別の一変形例（変形例２）では、図７（ａ）に示すように、画像Ａ３１において、上から１番目及び２番目の問題文Ｑの下方に、それぞれ、各問題文Ｑに関連する関連図Ｆ１、Ｆ２が配置されており、バーコードＢ１には、関連図Ｆ１、Ｆ２とその印刷位置とがさらに記録されている。ここで、関連図Ｆ１、Ｆ２は、図７（ａ）に二点鎖線で示すように、スキャナ４によりよって読み取られたときに印刷される、図７（ｂ）の画像Ａ３２に配置される解説ＥやヒントＨと重なる位置に配置されている。なお、本実施の形態では、問題文Ｑと関連図Ｆ１、Ｆ２とを合わせたものが、本発明に係る第１画像に相当する。
【００６８】
そして、このような画像Ａ３１の記入欄Ｗ１に解答Ｒを記入してスキャナ４に読み取らせると、図７（ｂ）に示すように、上述の実施の形態と同様、画像Ａ３１に解説ＥやヒントＨが追加された画像Ａ３２が印刷されるが、画像Ａ３２においては、関連図Ｆ１については、画像Ａ３１における位置から左方にずれた位置に配置されており（配置が変更されており）、関連図Ｆ２については縮小して配置されており、関連図Ｆ１、Ｆ２と解説ＥやヒントＨとは重なっていない。
【００６９】
また、この場合には、バーコードＢ１に記録されている関連図Ｆ１は、画像Ａ３１に配置されているのと同じものであるが、バーコードＢ１に記録されている関連図Ｆ２は、画像Ａ３２に配置される縮小後のものである。また、バーコードＢ１に記録されている関連図Ｆ１、Ｆ２の位置は、画像Ａ３１の位置からずらされたあるいは縮小された画像Ａ３２における位置である。
【００７０】
なお、この例では、関連図Ｆ１については位置をずらしただけであり、関連図Ｆ２については縮小しただけであったが、関連図を縮小した上でその位置をずらしてもよい。
【００７１】
また、変形例２では、関連図Ｆ１、Ｆ２を、解説ＥやヒントＨと重ならないように印刷したが、例えば、図８に示すように、解説ＥやヒントＨに、関連図Ｆ１、Ｆ２に追加するマークＭが含まれている場合などには、関連図Ｆ１、Ｆ２と解説ＥやヒントＨとが重なるように画像Ａ４２を印刷してもよい（変形例３）。
【００７２】
また、変形例２では、画像Ａ３１に予め配置されていた関連図Ｆ１、Ｆ２の位置を変更したが、これには限られず、例えば、ユーザが、記入欄Ｗ１に記入する解答Ｒを導出する際に、解答Ｒとは別に、問題文Ｑの下方に書き込んだ書き込み（本発明に係る書き込みとは異なる）などの位置を変更してもよい（変形例４）。
【００７３】
この場合には、例えば、読取画像処理部４３が、さらに、読取画像記憶部４２に記憶された画像に解答Ｒ以外の書き込みがある場合にその位置を検出するように構成されている。さらに、図９に示すように、印刷制御部２１が、読取画像処理部４３において検出された上記書き込みの位置と、バーコードＢ１に記録された解説ＥやヒントＨの位置とから、上記書き込みが、解説ＥやヒントＨと重なるか否かを判断する判断部５１と、判断部５１により、上記書き込みが解説ＥやヒントＨなどと重なると判断されたときに、上記書き込みの印刷位置を変更する位置変更部５２をさらに備えている。そして、印刷データ生成部３３は、位置変更部５２により変更された位置に、上記書き込みが配置された画像の印刷データを生成する。
【００７４】
また、この場合には、図１０に示すように、上記Ｓ２０８の後、判断部５１により、画像Ａ１１に解説ＥやヒントＨと重なる書き込みがされているかを判断する（Ｓ３０１）。そして、そのような書き込みがある場合には（Ｓ３０１：ＹＥＳ）、位置変更部５２により上記書き込みの印刷位置を変更した（Ｓ３０２）上で、上記Ｓ２０９に進む。一方、画像Ａ１１に、解説ＥやヒントＨと重なる書き込みがされていない場合には（Ｓ３０１：ＮＯ）、上述の実施の形態と同様、そのまま、上記Ｓ２０９に進む。
【００７５】
また、本実施の形態では、バーコードＢ１に、画像Ａ１１の構成要素である問題文Ｑ、バーコードＢ１の画像及び記入欄Ｗ１の画像が記録されていたが、これには限られない。例えば、バーコードＢ１にこれらが記録されておらず、上記Ｓ２０９において、バーコードＢ１から読み出した解説ＥやヒントＨと、読み取った画像Ａ１１とから、画像Ａ１２の印刷データを生成してもよい（変形例５）。
【００７６】
さらには、画像Ａ１１の構成要素である問題文Ｑ、バーコードＢ１及び記入欄Ｗ１は印刷せず、図１１に示すように、解説ＥやヒントＨのみが配置された画像Ａ５２を印刷してもよい。（変形例６）。
【００７７】
また、以上では、記入欄Ｗ１に記入された解答Ｒが正答であるか否かによって、問題文Ｑの下方に解説Ｅ又はヒントＨを印刷したが、問題文Ｑの下方に印刷するのはこれには限られない。例えば、解答Ｒが正答であった問題文Ｑの下方には簡単な解説のみを印刷し、誤答であった問題文Ｑの下方にはより詳細な解説を印刷する、あるいは、問題文Ｑの下方に単に正答か誤答かを示すメッセージのみを印刷するなど、問題文Ｑに解説ＥやヒントＨ以外の事項を印刷してもよい。
【００７８】
また、以上では、問題文Ｑに対する解答Ｒを記入欄Ｗ１に記載させる筆記試験などの印刷に本発明を適用したがこれには限られず、種々の印刷物の印刷に本発明を適用することが可能である。
【００７９】
例えば、別の一変形例（変形例７）では、スロット１０に装着されたメモリーカード１１から読み出したデータに基づいて印刷される画像Ａ６１が、機密文書などであり、図１２（ａ）に示すように、タイトルＴ、記入欄Ｗ２、及びバーコードＢ２を含んでいる。タイトルＴ（第１画像）は、後述する画像Ａ６２に印刷される内容Ｃに対応するものである。
【００８０】
記入欄Ｗ２（書き込み位置指示画像）は、ユーザにパスワードＰ（書き込み）記入位置を示すものである。ここで、変形例５では、正しいパスワードＰは３文字の「ＢＥＧ」であって、これに対応して、記入欄Ｗ２は３つの領域にわかれている。そして、記入欄Ｗ２のこれら３つの領域には、それぞれ、３文字のパスワードＰの１文字ずつが記入される。
【００８１】
バーコードＢ２には、画像Ａ６１の構成要素であるタイトルＴ、記入欄Ｗ２の画像、バーコードＢ２の画像と、タイトルＴに関連する内容Ｃ（第２画像）と、パスワード（所定の情報）とが記録されている。ここで、内容Ｃは、例えば、タイトルＴに関連する機密性の高い情報などである。また、バーコードＢ２には、タイトルＴ、記入欄Ｗ２の画像、バーコードＢ２の画像、及び、内容Ｃの印刷位置も記録されている。
【００８２】
一方、記入欄Ｗ２に正しいパスワードＰを記入した画像Ａ６１をスキャナ４により読み取らせると、図１２（ｂ）に示すように、画像Ａ６１と同様の内容に加えて、タイトルＴの下方に内容Ｃが配置された画像Ａ６２が印刷される。なお、記入欄Ｗ２に記入されたパスワードＰがバーコードＢ２に記録されたパスワードと一致しない場合には、図１２（ａ）に示す画像Ａ６１がそのまま印刷される。
【００８３】
そして、この場合には、図１３に示すように、記入欄Ｗ２にパスワードＰを記入した画像Ａ６１をスキャナ４に読み取らせるとともに、読み取られた画像Ａ６１を読取画像記憶部４２に記憶させる（Ｓ５０１）。そして、読取画像処理部４３により、読取画像記憶部４２に記憶された画像Ａ６１から記入されたパスワードＰを取得し（Ｓ５０２）、続いて、バーコードＢ２からパスワードを読み出す（Ｓ５０３）。そして、取得したパスワードＰと読み出したパスワードとが一致した場合には（Ｓ５０４：ＹＥＳ）、バーコードＢ２から内容Ｃを読み出す（Ｓ５０５）とともに、元の画像Ａ６１の構成要素であるタイトルＴ、記入欄Ｗ１、バーコードＢ２の画像を読み出す（Ｓ５０６）。一方、パスワードが一致しない場合には（Ｓ５０４：ＮＯ）、バーコードＢ２から、元の画像Ａ６１の構成要素のみを読み出す（Ｓ５０６）。
【００８４】
次に、上記Ｓ５０５、Ｓ５０６において読み出したデータから、印刷データ生成部３３により印刷データを生成し（Ｓ５０７）、生成した印刷データに基づいて画像の印刷を行う（Ｓ５０８）。
【００８５】
そして、以上のようにして印刷を行うことにより、記入欄Ｗ２に正しいパスワードＰが記入されている状態で画像Ａ６１が読み取られた場合にのみ、機密文書などの内容Ｃを印刷することができるため、機密性の高い内容Ｃを、パスワードを知らない第三者に見られてしまうのを防止することができる。
【００８６】
さらに、このとき、パスワードＰは、画像Ａ６１に設けられた記入欄Ｗ２が示す位置に記入される（特定の位置にのみ記入される）ため、上記Ｓ５０２において、パスワードＰを精度よく認識することができる。
【００８７】
また、バーコードＢ２に、画像Ａ６１の構成要素であるタイトルＴなどが記録されているため、バーコードＢ２に記録されたデータを用いて、タイトルＴと、タイトルＴに関連する内容Ｃとが配置された画像Ａ６２を印刷することができる（タイトルＴと内容Ｃとを同じ印刷用紙Ｓに印刷することができる）。
【００８８】
また、変形例７では、パスワードＰの１文字ずつを記入させるように記入欄Ｗ２が３つの領域にわかれていたが、これには限られない。例えば、図１４（ａ）に示すように、画像Ａ７１に、領域わかれていない記入欄Ｗ３が設けられており、記入欄Ｗ３にパスワードＰの３文字「ＢＥＧ」が全て記入されたときにのみ、図１４（ｂ）に示すように、内容Ｃが配置された画像Ａ７２が印刷されるようにしてもよい（変形例８）。そして、この場合には、第三者にパスワードの桁数を知られてしまうのを防止することができる。
【００８９】
さらには、図１５（ａ）に示すように、画像Ａ８１にパスワードＰの記入位置を示す記入欄が設けられておらず、画像Ａ７１が印刷された印刷用紙Ｓの予め決められた位置、あるいは、当該印刷用紙Ｓの任意の位置に正しいパスワードＰが記入されたときにのみ、図１５（ｂ）に示すように内容Ｃが配置された画像Ａ８２が印刷されるようにしてもよい（変形例９）。なお、変形例８、９の場合には、パスワードは３桁であることには限られず、２桁以下あるいは４桁以上であってもよい。
【００９０】
また、変形例７では、バーコードＢ２に１つのパスワードＰと１つの内容Ｃのみが記録されていたが、これには限られない。例えば、バーコードＢ２に２種類のパスワードＰ１、Ｐ２（所定の情報）及び２種類の内容Ｃ１、Ｃ２（第２画像）が記録されている。そして、記入欄Ｗ２にパスワードＰ１が記入された画像Ａ６１がスキャナ４に読み取られたときにのみ、図１６（ａ）に示すように、内容Ｃ１が配置された画像Ａ９２ａが印刷され、記入欄Ｗ２にパスワードＰ２が記入された画像Ａ６１がスキャナ４に読み取られたときにのみ、図１６（ｂ）に示すように、内容Ｃ２が配置された画像Ａ９２ｂが印刷される（変形例１０）。なお、図１６（ａ）、（ｂ）は、パスワードＰ１が「ＢＥＧ」、パスワードＰ２が「ＡＥＧ」である場合を示している。
【００９１】
この場合には、記入欄Ｗ１に記入されるパスワードによって、バーコードＢ２に記録された複数の内容Ｃ１、Ｃ２のいずれかを選択的に印刷することができる。なお、変形例１０では、バーコードＢ２に２種類の内容Ｃ１、Ｃ２（第２画像）及び２種類のパスワードＰ１、Ｐ２（所定の情報）が記録されていたが、３種類以上の第２画像及び所定の情報がバーコードに記録されていてもよい。
【００９２】
また、変形例７では、記入されたパスワードＰがバーコードＢ２に記録されたパスワードと一致しない場合、画像Ａ６１をそのまま印刷していたが、これには限られず、例えば、バーコードＢ２に機密性の高い内容Ｃとは別に、機密性の低い内容など（第３画像）が記録されており、パスワードが一致しない場合（パスワードが記入されていない場合も含む）に、内容Ｃの代わりにその内容が配置された画像が印刷されるようにしてもよい（変形例１１）。
【００９３】
また、以上の例では、全ての処理が複合機１内で行われていたが、これには限られない。別の一変形例（変形例１２）では、図１７、図１８に示すように、複合機１０１とＰＣ１０２（制御装置）とが接続されることによって印刷システム１００が形成されている。ＰＣ１０２は、ＣＰＵ、ＲＯＭ、ＲＡＭ、ハードディスク等の大容量記憶装置などを備えている。大容量記憶装置には、ＣＰＵによって実行される種々のアプリケーションプログラムや、画像データ等の各種データが格納されている。
【００９４】
そして、変形例１２では、ＰＣ１０２が、複合機１（図１、図２参照）において、制御装置５が備えていた、印刷制御部２１の印刷データ生成部３３と、読取制御部２２の読取画像記憶部４２及び読取画像処理部４３とを備えているとともに、上記大容量記憶装置によって構成されるものであって、画像Ａ１１などのスキャナ４によって読み取られる画像データが記録された画像データ記録部１０３を備えている。そして、印刷データ生成部３３は、ＰＣ１０２の画像データ記録部１０３に記憶された画像データ、あるいは、ＰＣ１０２の読取画像記憶部４２に記憶された画像と、読取画像処理部４３における処理結果とに基づいて、印刷データを生成する。一方、複合機１０１は、複合機１（図１、図２参照）から、印刷データ生成部３３、読取画像記憶部４２及び読取画像処理部４３を除いた構成となっている。
【００９５】
そして、変形例１２においては、上記実施の形態に対して、一部の処理をＰＣ１０２側で行うという違いはあるものの、その結果、実現される作用・効果はほぼ同じである。すなわち、バーコードに記録されているものと同じ書き込みがされた（解答ＲやパスワードＰなどが記入された）場合にのみ、バーコードに記録された、元の画像には印刷されていない第２画像（解説Ｅや内容Ｃなど）を印刷させるあるいは印刷することができる。
【００９６】
なお、変形例１２においては、印刷データ生成部３３、読取画像記憶部４２及び読取画像処理部４３の全てがＰＣ１０２側に設けられている必要はなく、これらが複合機１０１とＰＣ１０２とにわかれて設けられていてもよい。
【符号の説明】
【００９７】
１ 複合機（印刷システム）
２  印刷ヘッド（印刷手段）
３  用紙搬送機構（印刷手段）
４  スキャナ（読取手段）
５  制御装置（制御手段）
２１ 印刷制御部
２２ 読取制御部
１００ 印刷システム
１０１ 複合機
１０２ ＰＣ
【図１】
0005499770.tif 000002
【図２】
0005499770.tif 000003
【図３】
0005499770.tif 000004
【図４】
0005499770.tif 000005
【図５】
0005499770.tif 000006
【図６】
0005499770.tif 000007
【図７】
0005499770.tif 000008
【図８】
0005499770.tif 000009
【図９】
0005499770.tif 000010
【図１０】
0005499770.tif 000011
【図１１】
0005499770.tif 000012
【図１２】
0005499770.tif 000013
【図１３】
0005499770.tif 000014
【図１４】
0005499770.tif 000015
【図１５】
0005499770.tif 000016
【図１６】
0005499770.tif 000017
【図１７】
0005499770.tif 000018
【図１８】
0005499770.tif 000019